(57)【特許請求の範囲】
【請求項１】
狭域通信網に接続された通信装置を広域通信網に中継接続する中継装置であって、
前記狭域通信網に接続された通信装置と通信する狭域通信部と、
前記広域通信網と接続する広域通信部と、
前記通信装置から省電力状態への移行を指示されると、前記広域通信部の動作を停止し、前記狭域通信部のアドレス情報を変更し、前記中継装置の動作状態を省電力状態に移行する制御部と、
を備え、
前記狭域通信部は、変更後のアドレス情報を、前記通信装置における、前記中継装置に省電力状態への移行または省電力状態からの復帰を前記中継装置と通信する第２の狭域通信部を介して前記中継装置に指示する第２の制御部に通知する
ることを特徴とする中継装置。
【請求項２】
前記制御部は、前記通信装置から省電力状態からの復帰を指示されると、前記広域通信部を起動し、前記変更後の狭域通信部のアドレス情報を変更前の前記狭域通信部のアドレス情報に戻し、前記中継装置の動作状態を通常稼働状態に移行することを特徴とする請求項１記載の中継装置。
【請求項３】
請求項２記載の中継装置と、
前記中継装置と通信する第２の狭域通信部および前記中継装置に省電力状態への移行または省電力状態からの復帰を前記第２の狭域通信部を介して前記中継装置に指示する第２の制御部を備える通信装置と、
を備えることを特徴とする無線通信システム。
【請求項４】
前記制御部および前記第２の制御部は、省電力状態への移行時に前記中継装置に設定される前記狭域通信部のアドレス情報を予め保持し、
前記制御部は、前記通信装置から省電力状態への移行を指示された場合、前記予め保持したアドレス情報を前記狭域通信部に設定し、
前記第２の制御部は、前記中継装置に省電力状態からの復帰を指示する場合、前記予め保持したアドレス情報を前記第２の狭域通信部へ通知し、
前記第２の狭域通信部は、前記通知されたアドレス情報に基づき前記中継装置に省電力状態からの復帰指示を送信する、
請求項３記載の無線通信システム。
【請求項５】
前記制御部は、前記通信装置から省電力状態への移行を指示された場合、設定されているアドレス情報とは異なるアドレス情報を前記狭域通信部に設定すると共に、設定したアドレス情報を前記第２の制御部に送信し、
前記第２の制御部は、前記中継装置に省電力状態からの復帰を指示する場合、前記送信されたアドレス情報を前記第２の狭域通信部に通知し、
前記第２の狭域通信部は、前記通知されたアドレス情報に基づき前記中継装置に省電力状態からの復帰指示を送信する、
請求項３記載の無線通信システム。
【請求項６】
前記制御部は、前記通信装置から省電力状態からの復帰を指示された場合、前記狭域通信部のアドレス情報を元に戻し、アドレス情報を元に戻した旨の通知を前記第２の制御部へ送信し、
前記第２の制御部は、アドレス情報を元に戻した旨の通知を受信した場合、前記第２の狭域通信部に前記中継装置を介した前記広域通信網への接続を指示する、
請求項４または５記載の無線通信システム。
【請求項７】
狭域通信網に接続された通信装置と通信する狭域通信部と、広域通信網と接続する広域通信部とを備え、前記狭域通信網に接続された通信装置を前記広域通信網に中継接続する中継装置の制御方法であって、
前記通信装置から省電力状態への移行を指示されると、
前記広域通信網との接続を切断し、
前記狭域通信網に接続された通信装置との通信に用いる前記中継装置のアドレス情報を変更し、
前記中継装置の動作状態を省電力状態に移行し、
変更後のアドレス情報を、前記通信装置における、前記中継装置に省電力状態への移行または省電力状態からの復帰を前記中継装置と通信する第２の狭域通信部を介して前記中継装置に指示する第２の制御部に通知する
ことを特徴とする中継装置の制御方法。
【請求項８】
前記通信装置から省電力状態からの復帰を指示されると、
前記広域通信網と接続し、
前記変更後の中継装置のアドレス情報を変更前の前記中継装置のアドレス情報に戻し、
前記変更後の中継装置のアドレス情報を変更前の前記中継装置のアドレス情報に戻した旨を前記通信装置に通知し、
前記中継装置の動作状態を通常稼働状態に移行する
ことを特徴とする請求項７記載の中継装置の制御方法。
【請求項９】
狭域通信網に接続された通信装置と通信する狭域通信部と、広域通信網と接続する広域通信部とを備え、前記狭域通信網に接続された通信装置を前記広域通信網に中継接続する中継装置のコンピュータに、
前記通信装置から省電力状態への移行を指示されると、
前記広域通信網との接続を切断する処理と、
前記狭域通信網に接続された通信装置と通信するために用いる前記中継装置のアドレス情報を変更する処理と、
前記中継装置の動作状態を省電力状態に移行する処理と、
変更後のアドレス情報を、前記通信装置における、前記中継装置に省電力状態への移行または省電力状態からの復帰を前記中継装置と通信する第２の狭域通信部を介して前記中継装置に指示する第２の制御部に通知する処理と、
を実行させることを特徴とする中継装置のプログラム。
【請求項１０】
前記通信装置から省電力状態からの復帰を指示されると、
前記広域通信網と接続する処理と、
前記変更後の中継装置のアドレス情報を変更前の前記中継装置のアドレス情報に戻す処理と、
前記変更後の中継装置のアドレス情報を変更前の前記中継装置のアドレス情報に戻した旨を前記通信装置に通知する処理と、
前記中継装置の動作状態を通常稼働状態に移行する処理と、
を実行させることを特徴とする請求項９記載の中継装置のプログラム。
【発明の詳細な説明】
【技術分野】
【０００１】
本発明は、中継装置、中継装置の制御方法および中継装置のプログラムに関する
【背景技術】
【０００２】
近年、Ｗｉ−Ｆｉ（登録商標）機能を有するスマートフォンやタブレット型コンピュータなどの通信装置が普及している。外出先にて、通信装置をインターネットに接続する際には、モバイルルータなどの中継装置がよく用いられる。この中継装置は、ＬＡＮ（Ｌｏｃａｌ  Ａｒｅａ  Ｎｅｔｗｏｒｋ）側では、無線ＬＡＮやＢｌｕｅｔｏｏｔｈ（登録商標）、赤外線通信などを用いて、ＷＡＮ（Ｗｉｄe  Ａｒｅａ  Ｎｅｔｗｏｒｋ）側では、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ／登録商標）やＬＴＥ（Ｌｏｎｇ  Ｔｅｒｍ  Ｅｖｏｌｕｔｉｏｎ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ／登録商標）など用いて通信し、通信装置とインターネットとの接続を中継する。中継装置については、これまでに、その消費電力を抑える技術が種々提案されている。
【０００３】
例えば、特許文献１には、通信装置からの接続要求や、通信装置の接続状態に応じて中継装置の動作状態を「通常動作」または「省電力動作」に適宜切り替えることで、中継装置の消費電力を低減させる技術が開示されている。
【０００４】
また、特許文献２には、通信装置とインターネットの中継通信を行う起動状態時には、通信効率が高い第１通信手段を、中継通信を行わない待機状態時には、消費電力の小さい第２通信手段を用いることで、高速な中継通信と低消費電力化を実現させた中継装置が開示されている。
【先行技術文献】
【特許文献】
【０００５】
【特許文献１】特開２０１２−１０２６１
【特許文献２】特開２０１４−６０５８６
【発明の概要】
【発明が解決しようとする課題】
【０００６】
特許文献１および特許文献２に開示されている中継装置は、通信装置からの接続要求や通信装置の接続状態に応じて、自身の動作状態や使用する通信手段を変更し、消費電力を低減させる。しかしながら、Ｗｉ−ｆｉ機能を有すスマートフォンやタブレット型コンピュータといった上記通信装置は、ユーザが指示していないにも拘らずパケットを送信することが多々ある。そのため、中継装置は、通信装置から送信された上記パケットを受信し、ユーザの意図ではない「省電力状態」から「通常動作状態」への状態移行を行うといった誤作動を起こし、無駄に電力を消費してしまうことがある。
【０００７】
本発明は上記問題に鑑みてなされたものであり、通信装置から送信されたユーザの意図しない信号による省電力状態からの復帰を抑制することで、無駄な電力消費を抑えることができる中継装置、中継装置の制御方法および中継装置のプログラムを提供することを目的とする。
【課題を解決するための手段】
【０００８】
上記目的を達成するために本発明に係る中継装置は、狭域通信網に接続された通信装置を広域通信網に中継接続する中継装置であって、前記狭域通信網に接続された通信装置と通信する狭域通信部と、前記広域通信網と接続する広域通信部と、前記通信装置から省電力状態への移行を指示されると、前記広域通信部の動作を停止し、前記狭域通信部のアドレス情報を変更し、前記中継装置の動作状態を省電力状態に移行する制御部と、を備えることを特徴とする。
【０００９】
上記目的を達成するために本発明に係る中継装置の制御方法は、狭域通信網に接続された通信装置と通信する狭域通信部と、広域通信網と接続する広域通信部とを備え、前記狭域通信網に接続された通信装置を前記広域通信網に中継接続する中継装置の制御方法であって、前記通信装置から省電力状態への移行を指示されると、前記広域通信網との接続を切断し、前記狭域通信網に接続された通信装置との通信に用いる前記中継装置のアドレス情報を変更し、前記中継装置の動作状態を省電力状態に移行することを特徴とする。
【００１０】
上記目的を達成するために本発明に係る中継装置のプログラムは、狭域通信網に接続された通信装置と通信する狭域通信部と、広域通信網と接続する広域通信部とを備え、前記狭域通信網に接続された通信装置を前記広域通信網に中継接続する中継装置のコンピュータに、前記通信装置から省電力状態への移行を指示されると、前記広域通信網との接続を切断する処理と、前記狭域通信網に接続された通信装置と通信するために用いる前記中継装置のアドレス情報を変更する処理と、前記中継装置の動作状態を省電力状態に移行する処理と、を実行させることを特徴とする。
【発明の効果】
【００１１】
本発明によれば、通信装置から送信されたユーザの意図しない信号による中継装置の省電力状態からの復帰を抑制することで、中継装置の無駄な電力消費を抑えることができる。
【図面の簡単な説明】
【００１２】
【図１】本発明の第１の実施形態に係る無線通信システム１０００のシステム構成図の一例である。
【図２】本発明の第１の実施形態に係る中継装置２００の動作状態を「通常稼働状態」から「省電力状態」に移行する動作手順の一例を示すフローチャートである。
【図３】本発明の第１の実施形態に係る中継装置２００の動作状態を「省電力状態」から「通常稼働状態」に移行する動作手順の一例を示すフローチャートである。
【図４】本発明の第２の実施形態に係る中継装置４００のブロック構成図である。
【図５】本発明の第２の実施形態に係る中継装置４００の動作フローの一例を示すフローチャートである。
【図６】本発明の第２の実施形態に係る無線通信システム２０００のシステム構成図の一例である。
【図７】本発明の第２の実施形態に係る中継装置を省電力状態から復帰させる動作手順の一例を示すフローチャートである。
【発明を実施するための形態】
【００１３】
（第１の実施形態）
本発明の第１の実施形態について説明する。本実施形態に係る無線通信システム１０００のシステム構成図を図１に示す。
【００１４】
本実施形態に係る無線通信システム１０００は、図１に示すように、通信装置１００と中継装置２００を備える。
【００１５】
通信装置１００は、スマートフォン、タブレット型コンピュータ、あるいはゲーム機といったＷｉ−Ｆｉ等の無線機能を有する通信装置である。
【００１６】
中継装置２００は、モバイルルータや、テザリング機能を有するスマートフォン等の中継装置である。
【００１７】
本実施形態に係る無線通信システム１０００では、通信装置１００と中継装置２００とを、無線ＬＡＮやＢｌｕｅｔｏｏｔｈ、赤外線通信などのローカルエリアネットワーク向けの通信手段によって接続させる。また、中継装置２００とインターネット３００とを、ＷｉＭＡＸやＬＴＥ、ＧＳＭなどのワイドエリアネットワーク向けの通信手段によって接続させる。そして、中継装置２００は、端末１００をインターネット３００に接続する。
【００１８】
本実施形態に係る通信装置１００は、図１示すように、通信装置側狭域通信部１０１と、通信装置側制御部１０２と、を備える。
【００１９】
通信装置側狭域通信部１０１は、無線ＬＡＮやＢｌｕｅｔｏｏｔｈ、赤外線通信などのローカルエリアネットワーク向けの通信手段によって、後述する中継装置側狭域通信部２０１と情報のやり取りを行う。なお、通信装置側狭域通信部１０１と中継装置側狭域通信部２０１は、同一の機能を有する。
【００２０】
通信装置側制御部１０２は、動作状態移行信号を通信装置側狭域通信部１０１から中継装置側狭域通信部２０１に送信し、中継装置側制御部２０３に伝えることで、中継装置２００に動作状態の移行を指示する。
【００２１】
本実施形態に係る中継装置２００は、図１に示すように、中継装置側狭域通信部２０１と、広域通信部２０２と、中継装置側制御部２０３と、を備える。
【００２２】
中継装置側狭域通信部２０１は、無線ＬＡＮやＢｌｕｅｔｏｏｔｈ、赤外線通信などのローカルエリアネットワーク向けの通信手段によって、通信装置側狭域通信部１０１と情報のやり取りを行う。また、中継装置側狭域通信部２０１は、中継装置側制御部２０３から、デバイスアドレスおよびデバイス名の変更要求を受信した場合、自身のデバイスアドレスおよびデバイス名を変更する。ここで、デバイスアドレスとは、ＭＡＣ（Ｍｅｄｉａ
Ａｃｃｅｓｓ  Ｃｏｎｔｒｏｌ）アドレス等の物理アドレスのことであり、デバイス名とは、Ｂｌｕｅｔｏｏｔｈデバイス名やＳＳＩＤ（Ｓｅｒｖｉｃｅ  Ｓｅｔ  Ｉｄｅｎｔｉｆｉｅｒ）等のアクセスポイントの識別名のことである。上記デバイスアドレスおよびデバイス名の変更動作の詳細については後述する。
【００２３】
広域通信部２０２は、ＷｉＭＡＸやＬＴＥ、ＧＳＭなどのワイドエリアネットワーク向けの通信手段によって、インターネット３００に接続された図示しない通信装置と情報のやり取りを行う。
【００２４】
中継装置側制御部２０３は、通信装置側制御部１０２から動作状態移行信号を受信した場合、この動作状態移行信号の指示内容に基づいて、中継装置２００の動作状態を「通常稼働状態」から「省電力状態」に、又は、「省電力状態」から「通常稼働状態」に移行する。その際、中継装置側制御部２０３は、中継装置側狭域通信部２０１に対してデバイスアドレスおよびデバイス名の変更要求を送信する。
【００２５】
なお、通常稼働状態とは、中継装置３００の全ての機能に電力が供給されている状態のことをいう。通常稼働状態は、例えば、通信装置１００とインターネット３００とが接続している場合に設定される。
【００２６】
また、省電力状態とは、ウェイクアップ（通常稼働状態への移行）に必要な最低限の機能のみに電力が供給されている状態のことをいう。省電力状態は、例えば、通信装置１００とインターネット３００との接続が切断されている場合に設定される。
【００２７】
次に、図２を参照しながら、本実施形態に係る中継装置２００の動作状態を「通常稼働状態」から「省電力状態」に移行する動作手順について説明する。図２は、本実施形態に係る通信装置１００および中継装置２００の動作を示すシーケンス図であり、上方から下方に向かって時間が経過するものとする。
【００２８】
通信装置側制御部１０２は、ユーザが通信装置１００上で省電力制御アプリケーションを起動し、通信装置１００の図示しないディスプレイ上の省電力状態移行ボタンをタップした場合、省電力状態への移行指示を含む動作状態移行信号（以下、省電力状態移行信号と記載する。）を通信装置側狭域通信部１０１から中継装置側狭域通信部２０１に送信し、中継装置側制御部２０３に通知する（Ｓ１０１）。
【００２９】
中継装置側制御部２０３は、省電力状態移行信号を受信すると、広域通信部２０２に動作停止要求を送信する（Ｓ１０２）。
【００３０】
広域通信部２０２は、中継装置側制御部２０３から動作停止要求を受信すると、インターネット３００との接続を切断し、自身の動作を停止する（Ｓ１０３）。
【００３１】
中継装置側制御部２０３は、広域通信部２０２の動作停止後、中継装置側狭域通信部２０１に、デバイスアドレスおよびデバイス名の変更要求を送信する（Ｓ１０４）。
【００３２】
中継装置側狭域通信部２０１は、中継装置側制御部２０３からデバイスアドレスおよびデバイス名の変更要求を受信すると、自身のデバイスアドレスおよびデバイス名を、省電力アプリケーションに対応した予め定められたデバイスアドレスおよびデバイス名に変更する（Ｓ１０５）。Ｓ１０５では、例えば、中継装置側狭域通信部２０１は、自身のデバイスアドレスを、「ｘｘ：ｘｘ：ｘｘ：ｘｘ：ｘｘ：ｘＡ」から「ｘｘ：ｘｘ：ｘｘ：ｘｘ：ｘｘ：ｘＢ」に、デバイス名を「ｘｘｘｘｘｘ−ｎｅｔ」から「ｘｘｘｘｘｘ−ｅｃｏ」に変更する。
【００３３】
Ｓ１０５終了後、中継装置２００の通常稼働状態から省電力状態への移行が完了する。また、通信装置１００は、省電力アプリケーションを終了する。
【００３４】
以上のように、本実施形態に係る中継装置２００は、自身の動作状態を「通常稼働状態」から「省電力状態」に移行する際、中継装置側狭域通信部２０１のデバイスアドレスとデバイス名を、省電力アプリケーションに対応した特定のデバイスアドレスおよびデバイス名に変更する。従って、中継装置２００は、通信装置１００からユーザの意図しないパケットが送信されたとしても、省電力状態からの復帰を抑えられることから、無駄な電力消費を抑えることができる。
【００３５】
次に、図３を参照しながら、本実施形態に係る中継装置２００の動作状態を「省電力状態」から「通常稼働状態」に移行する動作手順について説明する。図３は、本実施形態に係る通信装置１００および中継装置２００の動作を示すシーケンス図であり、上方から下方に向かって時間が経過するものとする。
【００３６】
通信装置側制御部１０２は、ユーザが通信装置１００上で省電力状態制御アプリケーションを起動し、通信装置１００の図示しないディスプレイ上の通常稼働状態移行ボタンをタップした場合、中継装置側狭域通信部２０１の省電力アプリケーションに対応した予め定められたデバイスアドレスおよびデバイス名を、通信装置側狭域通信部１０１に通知する（Ｓ２０１）。
【００３７】
そして、通信装置側制御部１０２は、通信装置側狭域通信部１０１に、Ｓ２０１で通知したデバイスアドレスおよびデバイス名に基づき、通常稼働状態への移行指示を含む動作状態移行信号（以下、通常稼働状態移行信号と記載する。）を中継装置側狭域通信部２０１に送信させ、中継装置側制御部２０３に通知する（Ｓ２０２）。
【００３８】
中継装置側制御部２０３は、通常稼働状態移行信号を受信すると、広域通信部２０２に起動要求を送信する（Ｓ２０３）。
【００３９】
広域通信部２０２は、中継装置側制御部２０３から起動要求を受信すると、動作を開始する（Ｓ２０４）。
【００４０】
中継装置側制御部２０３は、広域通信部２０２の起動後、中継装置側狭域通信部２０１に、デバイスアドレスおよびデバイス名の変更要求を送信する（Ｓ２０５）。
【００４１】
中継装置側狭域通信部２０１は、中継装置側制御部２０３からデバイスアドレスおよびデバイス名の変更要求を受信すると、自身のデバイスアドレスおよびデバイス名を、上記Ｓ１０５にて変更される前のデバイスアドレスおよびデバイス名に戻す（Ｓ２０６）。具体的には、デバイスアドレスを「ｘｘ：ｘｘ：ｘｘ：ｘｘ：ｘｘ：ｘＢ」から「ｘｘ：ｘｘ：ｘｘ：ｘｘ：ｘｘ：ｘＡ」に、デバイス名を「ｘｘｘｘｘｘ−ｅｃｏ」から「ｘｘｘｘｘｘ−ｎｅｔ」に戻す。
【００４２】
そして、中継装置側狭域通信部２０１は、自身のデバイスアドレスとデバイス名をＳ１０５で変更される前のデバイスアドレスとデバイス名に戻したことを、通信装置側狭域通信部１０１を介し、通信装置側制御部１０２に通知する（Ｓ２０７）。
【００４３】
中継装置側狭域通信部２０１からの上記通知を受け、通信側制御部１０２は、通信装置側狭域通信部１０１に中継装置２００を介したインターネット３００との接続を指示し、通信装置１００とインターネット３００との接続を確立する（Ｓ２０８）。
【００４４】
Ｓ２０８終了後、中継装置２００は、省電力状態から通常稼働状態への動作状態の移行を完了し、通信装置１００とインターネット３００との中継通信を開始する。また、通信装置１００は省電力アプリケーションを終了する。
【００４５】
以上のように、本発明に係る中継装置２００は、自身の動作状態を「通常稼働状態」から「省電力状態」に移行する際、中継装置側狭域通信部２０１のデバイスアドレスとデバイス名を変更し、その変更したデバイスアドレスとデバイス名を通信装置側制御部１０２に通知する。これにより通信装置１００は、通常稼働状態移行信号を送信し、中継装置２００を「省電力状態」から「通常稼働状態」に復帰させるためには、通常稼働状態移行信号の送信前に、通信装置側制御部１０２から通信装置側狭域通信部１０１に変更後の中継装置側狭域通信部２０１のデバイスアドレスとデバイス名を知らせておくことが必要となる。それ故、通信装置１００からユーザの意図しないパケットが送信されたとしても、端末側狭域通信部１０１は変更後の中継装置側狭域通信部２０１のデバイスアドレスとデバイス名を把握していないので、上記ユーザの意図しないパケットが省電力状態の中継装置２００に届くことはない。従って、通信装置１００から送信されたユーザの意図しないパケットによる中継装置２００の省電力状態からの復帰を抑え、中継装置２００の無駄な電力消費を抑えることができる。
【００４６】
また、本実施形態に係る中継装置２００は、通信装置１００から送信されたユーザの意図しないパケットによる自身の動作状態の移行を抑制することができるため、ユーザの意図したタイミングでのみ動作状態の移行を実行することが可能になる。
【００４７】
なお、本実施形態では、中継装置２００を「通常稼働状態」から「省電力状態」に移行する際、中継装置側狭域通信部２０１のデバイスアドレスおよびデバイス名を、省電力アプリケーションに対応した特定のデバイスアドレスおよびデバイス名に変更したが、これに限定されない。変更前のデバイスアドレスおよびデバイス名と同一のものでなければ、如何なるデバイスアドレスおよびデバイス名に変更してもよい。ただしその場合、Ｓ１０５終了後、中継装置側狭域通信部２０１は、変更後のデバイスアドレスおよびデバイス名も通信装置側制御部１０２に通知する必要がある。また、通信装置側制御部１０２は、通知された変更後の中継装置側狭域通信部２０１のデバイスアドレスおよびデバイス名を、Ｓ１０１で送信した省電力状態移行信号と対応付して保持しておく必要がある。
【００４８】
（第２の実施形態）
次に、本発明の第２の実施形態について説明する。本実施形態に係る中継装置４００は、狭域通信網に接続された通信装置を広域通信網に中継接続する。
【００４９】
本実施形態に係る中継装置４００のブロック構成図を図４に示す。本実施形態に係る中継装置４００は、図４に示すように、狭域通信部４０１と、広域通信部４０２と、制御部４０３と、を備える。
【００５０】
狭域通信部４０１は、狭域通信網に接続された通信装置と通信する。
【００５１】
広域通信部４０２は、広域通信網に接続する。
【００５２】
制御部４０３は、通信装置から省電力状態への移行を指示されると、広域通信部４０２の動作を停止し、狭域通信部４０１のアドレス情報を変更し、変更後の狭域通信部４０１のアドレス情報を通信装置に通知する。そして、中継装置４００の動作状態を省電力状態に移行する。
【００５３】
次に、図５を参照しながら、本実施形態に係る中継装置４００の動作について説明する。
【００５４】
制御部４０３は、通信装置から省電力状態への移行を指示されると、広域通信部４０２の動作を停止する（Ｓ３０１）。そして、制御部４０３は、狭域通信部４０１のアドレス情報を変更し（Ｓ３０２）、変更後の狭域通信部４０１のアドレス情報を通信装置に通知する（Ｓ３０３）。
【００５５】
Ｓ３０３の後、中継装置４００の省電力状態への移行が完了する。なお、通信装置は、通知された狭域通信部４０１のアドレス情報を、中継装置４００に省電力状態からの復帰を指示する時まで、自身の通信部に設定することなく、そのまま保持する。
【００５６】
以上のように、本実施形態に係る中継装置４００は、自身の動作状態を省電力状態に移行する際、狭域通信部４０１のアドレス情報を変更する。その結果、通信装置から送信されたユーザの意図しないパケットによる省電力状態からの復帰を抑え、無駄な電力消費を抑えることができる。
【００５７】
次に、中継装置４００を省電力状態から復帰させる動作手順について説明する。なお、中継装置４００について、上記説明と重複する部分については、説明を省略する。
【００５８】
中継装置４００を省電力状態から復帰させる場合の、本実施形態に係る無線通信システム２０００のシステム構成図を図６に示す。
【００５９】
無線通信システム２０００は、図６に示すように、中継装置４００と、通信装置５００を備える。
【００６０】
制御部４０３は、中継装置４００の省電力状態への移行時に、狭域通信部４０１のアドレス情報をそれまで設定されていたものとは異なるアドレス情報に変更すると共に、変更後の狭域通信部４０１のアドレス情報を通信装置５００に通知した。中継装置４００を省電力状態から復帰させる本動作手順において、制御部４０３は、通信装置５００から中継装置４００の省電力状態からの復帰を指示されると、変更後の狭域通信部４０１のアドレス情報を変更前のアドレス情報に戻すと共に、この旨を通信装置５００に送信する。
【００６１】
通信装置５００は、図６に示すように、第２の狭域通信部５０１と、第２の制御部５０２と、を備える。
【００６２】
第２の狭域通信部５０１は、中継装置４００と通信する。
【００６３】
第２の制御部５０２は、中継装置４００の省電力状態への移行時に、制御部４０３から、変更後の狭域通信部４０１のアドレス情報を通知されている。中継装置４００を省電力状態から復帰させる本動作手順において、第２の制御部５０２は、中継装置４００に省電力状態からの復帰を指示する場合、制御部４０３から通知された変更後の狭域通信部４０１のアドレス情報を第２の狭域通信部５０１に伝える。そして、このアドレス情報に基づき、狭域通信部５０１に制御部４０３へ中継装置４００の省電力状態からの復帰指示を送信させる。
【００６４】
また、第２の制御部５０２は、中継装置４００を省電力状態から復帰させる過程で、制御部４０３から、狭域通信部４０１のアドレス情報を変更前のアドレス情報に戻した旨の通知を受信すると、第２の狭域通信部５０１に狭域通信部４０１および広域通信部４０２による中継接続を用いた通信を再開させる。
【００６５】
次に、図７を参照しながら、中継装置４００を省電力状態から復帰させる動作手順について説明する。
【００６６】
第２の制御部５０２は、中継装置４００の省電力状態への移行時に、制御部４０３から通知された変更後の狭域通信部４０１のアドレス情報を、第２の狭域通信部５０１に伝える（Ｓ４０１）。そして、このアドレス情報に基づき、第２の狭域通信部５０１に制御部４０３へ中継装置４００の省電力状態からの復帰指示を送信させる（Ｓ４０２）。
【００６７】
制御部４０３は、中継装置４００の省電力状態からの復帰指示を受信すると、狭域通信部４０１のアドレス情報を変更前のアドレス情報に戻し（Ｓ４０３）、狭域通信部４０１に第２の制御部５０２へ狭域通信部４０１のアドレス情報を変更前のアドレス情報に戻した旨の通知を送信させる（Ｓ４０４）。
【００６８】
第２の制御部５０２は、狭域通信部４０１のアドレス情報を変更前のアドレス情報に戻した旨の通知を受信すると、第２の狭域通信部に狭域通信部４０１および広域通信部４０２による中継接続を用いた通信を再開させる（Ｓ４０５）。
【００６９】
Ｓ４０５の後、中継装置４００の省電力状態からの復帰が完了する。
【００７０】
なお、本実施形態では、制御部４０３は、中継装置４００の省電力状態への移行時に、狭域通信部４０１のアドレス情報をそれまで設定されていたものとは異なるアドレス情報に変更すると共に、変更後の狭域通信部４０１のアドレス情報を第２の制御部５０２に通知した。そして、第２の制御部５０２は、中継装置４００を省電力状態から復帰させる場合、制御部４０３から通知された変更後の狭域通信部４０３のアドレス情報を用いて、その後の処理を進めたが、これに限定されない。例えば、中継装置４００の省電力状態への移行時に、狭域通信部４０１に設定されるアドレス情報を制御部４０３および第２の制御部５０２に予め保持させておき、この保持させておいた狭域通信部４０１のアドレス情報に基づき、中継装置４００を省電力状態から復帰させることも可能である。この場合、中継装置４００の省電力状態移行時に狭域通信部４０１に設定するアドレス情報が、制御部４０３および第２の制御部５０２に予め保持させておいたアドレス情報になる。また、制御部４０３から第２の制御部５０２への変更後の狭域通信部４０１のアドレス情報を通知する必要が無くなる。さらに、第２の制御部５０２が第２の狭域通信部５０１に伝える狭域通信部４０１のアドレス情報が、第２の制御部５０２が予め保持していたアドレス情報になる。
【００７１】
以上のように、本実施形態に係る無線通信システム２０００では、中継装置４００を省電力状態から復帰させるためには、変更後の狭域通信部４０１のアドレス情報を第２の制御部５０２から第２の狭域通信部５０１に通知する必要がある。その結果、通信装置５００から送信されたユーザの意図しないパケットによる中継装置４００の省電力状態からの復帰を抑え、無駄な電力消費を抑えることができる。
【符号の説明】
【００７２】
１００  通信装置
１０１  通信装置側狭域通信部
１０２  通信装置側制御部
２００  中継装置
２０１  中継装置側狭域通信部
２０２  広域通信部
２０３  中継装置側制御部
３００  インターネット
４００  中継装置
４０１  狭域通信部
４０２  広域通信部
４０３  制御部
５００  通信装置
５０１  第２の狭域通信部
５０２  第２の制御部
１０００  無線通信システム
２０００  無線通信システム
【図１】
0006272216.tif 000002
【図２】
0006272216.tif 000003
【図３】
0006272216.tif 000004
【図４】
0006272216.tif 000005
【図５】
0006272216.tif 000006
【図６】
0006272216.tif 000007
【図７】
0006272216.tif 000008